(57)【要約】【課題】体重と脈搏或は心搏とを共に測定することによって、被測定者の運動前後に測定された体重と脈搏或は心搏の変化による運動の効果を把握し、脈搏心搏の変化情報を活用して最適な運動強度を誘導すると共に心搏変動を活用してストレスの程度も測定できる脈搏或は心搏測定が可能な体重計を提供する。【解決手段】被測定者の足の裏及び／又は手の裏と接触する＋、−電極と、前記電極から身体の脈搏或は心搏信号を検出する身体信号検出部、被測定者の体重を電気信号に変換させるロードセルと、前記脈搏或は心搏検出部及びロードセルで測定された電気信号を増幅するアンプと、前記アンプから情報を入力して貯蔵するメモリー部と、前記メモリー部から伝送された情報を予めプログラムされたプログラムにより演算して脈搏或は心搏と体重に対する情報を導出する主演算処理部を含み、体重と脈搏或は心搏とを共に測定可能なものにする。【選択図】図２ａ
2006145540.tif 000002
【特許請求の範囲】
【請求項１】
被測定者の足の裏及び／又は手の裏と接触する＋、−電極と、前記電極から脈搏或は心搏に対する情報を得る身体信号検出部と、被測定者の体重を測定するためのロードセルと、前記ロードセルから測定された情報と脈搏或は心搏検出部から測定された情報とを増幅させるアンプと、前記アンプから増幅されたデータ情報を貯蔵するメモリー部と、前記メモリー部から伝送された情報データを演算して脈搏或は心搏と体重とに対する情報を導出する主演算処理部からなることを特徴とする脈搏或は心搏測定が可能な体重計。
【請求項２】
前記＋、−電極は、足の裏、足指、手の裏或は指に接触することを特徴とする請求項１記載の脈搏或は心搏測定が可能な体重計。
【請求項３】
被測定者の身体と接触する＋、−電極と、前記電極から身体の脈搏或は心搏信号を検出する身体信号検出部と、被測定者の体重を電気信号に変換させるロードセルと、前記身体信号検出部及びロードセルから測定された電気信号を増幅するアンプと、前記アンプから入力された情報データを貯蔵するメモリー部と、前記メモリー部から伝送された情報データを演算して脈搏或は心搏と体重とに対する情報を導出する主演算処理部を含み、体重と脈搏或は心搏とが同時に測定されるか、体重が測定された後脈搏或は心搏が測定されるか、又は、脈搏或は心搏が測定された後体重が測定されるように構成されることを特徴とする脈搏或は心搏測定が可能な体重計。
【請求項４】
被測定者の身体の要部を感知する赤外線センサー部と、前記センサー部から身体の脈搏或は心搏信号を検出する身体信号検出部と、被測定者の体重を電気信号に変換するロードセルと、前記身体信号検出部及びロードセルから測定された電気信号を増幅するアンプと、前記アンプから入力された情報データを貯蔵するメモリー部と、前記メモリー部から伝送された情報データを演算して脈搏或は心搏と体重とに対する情報を導出する主演算処理部を含み、体重と脈搏或は心搏とが同時に測定されるように構成されることを特徴とする脈搏或は心搏測定が可能な体重計。
【請求項５】
前記赤外線センサー部は、足の裏、足指、手の裏或は指を感知することを特徴とする請求項４記載の脈搏或は心搏測定が可能な体重計。
【請求項６】
被測定者の身体の要部を感知する赤外線センサー部と、前記センサー部から身体脈搏或は心搏信号を検出する身体信号検出部と、被測定者の体重を電気信号に変換させるロードセルと、前記身体信号検出部及びロードセルから測定された電気信号を増幅するアンプと、前記アンプから入力された情報を貯蔵するメモリー部と、前記メモリー部から伝送された情報データを演算して脈搏或は心搏と体重とに対する情報を導出する主演算処理部を含み、体重と脈搏或は心搏とが同時に測定されるか、体重が測定された後脈搏或は心搏が測定されるか、又は、脈搏或は心搏が測定された後体重が測定されるように構成されることを特徴とする脈搏或は心搏測定が可能な体重計。
【発明の詳細な説明】
【技術分野】
【０００１】
本発明は、脈搏或は心搏測定が可能な体重計に関するもので、特に、体重計の要部に設置された＋、−電極を活用して体重と脈搏或は心搏とを共に測定することによって、被測定者の運動前後に測定された体重と脈搏或は心搏の変化による運動の効果を把握することが出来、脈搏或は心搏の変化情報などを活用して被測定者に最適な運動強度を誘導させることが出来る機能を備え、脈搏或は心搏の規則度を表示する心搏変動(HRV)を活用して被測定者のストレス程度を測定する機能を備える脈搏或は心搏測定が可能な体重計に関するものである。
【背景技術】
【０００２】
昨今健康に対する関心が高まり、多様な運動器具が開発され、これら器具の中には健康状態を測定するための装置も数多く開発されている。
かかる装置のうち、体重計は健康状態を測定する基本的な装置として、病院などに幅広く普及しており、現在では家庭用にまで普及している。
一般的な体重計及び脈搏或は心搏測定装置の構成が図１に図示されている。図１のように体重計は被測定者の体重を測定するためのロードセル(1)と、ロードセル(1)から測定された重さ情報を増幅するアンプ(2)と、体重を測定するための演算を遂行する演算処理部(3)と、測定結果を貯蔵するメモリー部(4)と、測定結果を表示するディスプレー部(5)で構成され、脈搏或は心搏測定装置は、身体の脈搏或は心搏信号を感知するために必ず必要な＋、−電極(11)と、その電極(11)から測定された脈搏或は心搏信号を増幅するアンプ(12)と、脈搏或は心搏を演算する演算処理部(13)と、演算結果を表示するディスプレー部(15)と、演算結果を貯蔵するメモリー部(14)で構成される。このような脈搏或は心搏測定方法の他に、赤外線センサー部を活用して脈搏或は心搏を測定することもできる。
【０００３】
心搏変動(HRV:Heart  Rate  Variability)を利用した脈搏或は心搏測定機は、脈搏或は心搏を測定してストレスの程度を判別するもので既に商用化されており、精密な運動処方のために必要な装備である。また、体重計は体成分分析の内容を把握するための基礎的な装備であり、簡単に体重を測定するだけで被測定者の肥満度の判別が可能である。現代においては自分の健康に対する関心が高まり、自分に適合する運動処方の情報を得て効果的な運動をすることと、自分のストレスの程度を検査して運動の強度及び種類などを選択することが要求されている。正確かつ効果的な方法で被測定者の体の状態を把握するために、体重と関連したストレスを知り、体重と関連した運動を処方する必要があり、前記体重計と脈搏或は心搏測定装置とを共に必要とするが、これらの体重計及び脈搏或は心搏測定機は精密な運動処方のために必要な装備であるので、二台の装置を別に設置して使用しなければならない不便さがある。
また、同一の機能を果たすアンプと、演算装置と、ディスプレー部と、メモリー部とを各装備にそれぞれ設置しなければならない。
【発明の開示】
【発明が解決しようとする課題】
【０００４】
本発明は、従来の問題点を解決するためのものであり、体重計に脈搏或は心搏が測定できる機能を備えるようにし、体重計の装置構成に身体の脈搏或は心搏情報を測定するための＋、−電極を設置するだけで、体重と脈搏或は心搏を測定することができる。このように二種類の機能を同時に遂行することができるので、装備を構成する費用が節約され、体重を測定する時、同時に脈搏或は心搏が測定されるので測定時間を短縮することができる。また、一度に二種類の測定が同時に行われて、その測定された二種類の情報を同時に活用できるので情報に対する信頼度がより高まると共に、簡単に測定可能で脈搏及び心搏測定が出来る体重計を提供することを目的とする。
【課題を解決するための手段】
【０００５】
本発明に関する脈搏或は心搏測定が可能な体重計は、被測定者の足の裏及び／又は手の裏と接触する＋、−電極と、前記電極から脈搏或は心搏に対する情報を得る身体信号検出部と、被測定者の体重を測定するためのロードセルと、前記ロードセルから測定された情報と脈搏或は心搏検出部から測定された情報とを増幅させるアンプと、前記アンプから増幅されたデータ情報を貯蔵するメモリー部と、前記メモリー部から伝送された情報データを演算して脈搏或は心搏と体重とに対する情報を導出する主演算処理部から構成される。
ここで、前記脈搏或は心搏検出用電極は体脂肪を計算するための情報データを集める機能を持つように構成することもできる。
また、脈搏或は心搏測定のために電極の代わりに身体の足指、手の裏などの要部を感知する赤外線センサーを設置することもできる。
【発明の効果】
【０００６】
本発明による脈搏或は心搏測定が可能な体重計は、専門家がいなくても体重と脈搏或は心搏とを測定する別々の装備を利用することなく被測定者に適切な運動強度の情報を提供することが出来、運動の直後の運動強度と体重変化及びストレス程度を共にチェックすることができる。
本発明は、実施例に記載される内容に限定されるものではなく、本発明の技術の要旨の範囲の中で多様に変形して実施することができる。
【発明を実施するための最良の形態】
【０００７】
以下、本発明の実施例を説明する。
まず、図２ａは本発明による脈搏或は心搏測定が可能な体重計の構成ブロック図、図２ｂは本発明による脈搏或は心搏測定が可能な体重計に対する一実施例を説明するための図、図３ａは本発明による脈搏或は心搏測定が可能な体重計の他の実施例を説明するための構成ブロック図、図３ｂは本発明による脈搏或は心搏測定が可能な体重計の使用状態図である。
【０００８】
本発明による脈搏或は心搏測定が可能な体重計は、図２ａ及び図２ｂに図示されるように一般的な体重計と類似して構成されているが、脈搏或は心搏信号を増幅して検出する装置が追加されている。即ち、本発明による体重計は被測定者(200)の足の裏及び／又は手の裏と接触する＋、−電極(31)と、前記電極(31)から身体の脈搏或は心搏信号を検出する身体信号検出部(32)と、被測定者の体重を電気信号に変換させるロードセル(21)と、前記身体信号検出部(32)から測定された脈搏或は心搏信号と、ロードセル(21)から測定された電気信号を増幅させるアンプ(22)と、前記アンプ(22)から伝送された信号データを貯蔵するメモリー部(24)と、前記メモリー部(24)に纏められた情報データを予め設定されたプログラムによって演算して分析する主演算処理部(23)と、前記主演算処理部(23)から演算処理された信号データを出力するディスプレー部(25)からなる。
【０００９】
被測定者(200)が図２ｂのように体重計(100)の上に乗ると、＋、−電極(31)に両足の裏が接触し、その状態で測定が進められる。被測定者(200)の体重と脈搏或は心搏情報はロードセル(21)と身体信号検出部(32)によって測定され、主演算処理部(23)で処理された後、その処理結果がディスプレー部(25)に表示される。従って、運動の前後に体重と脈搏或は心搏情報を共に纏めてチェック出来るので正確な運動処方が可能になる。
ここでは、＋、−電極（31）に足の裏が接触するようにしたが、足指、手の裏或は指が接触するようにしてもよい。
また、体重と脈搏或は心搏とが同時に測定されてもよいし、体重が測定された後脈搏或は心搏が測定されてもよく、脈搏或は心搏が測定された後体重が測定されてもよい。
【００１０】
また、図３ａと図３ｂは本発明による他の実施例を表す。
図３ａに図示されるように、脈搏或は心搏を測定するために電極の代わりに赤外線センサー部(33)を用いている。即ち、本発明による体重計は被測定者(200)の身体の要部を赤外線センサー部(33)が感知して前記赤外線センサー部(33)から身体の脈搏或は心搏信号を検出する身体信号検出部(32)と、被測定者の体重を電気信号に変換させるロードセル(21)と、脈搏或は心搏検出部(32)から測定された信号と、ロードセル(21)から測定された電気信号を増幅させるアンプ(22)と、前記アンプ(22)から伝送された情報データを貯蔵するメモリー部(24)と、前記メモリー部(24)に集められた情報データを予め設定されたプログラムによって演算して分析する主演算処理部(23)と、前記主演算処理部(23)から処理された信号データを出力するディスプレー部(25)とからなる。
【００１１】
被測定者(200)が図３ｂのように体重計(100)の上に乗ると身体の要部を感知する赤外線センサー部(33)を通して脈搏或は心搏が測定される。被測定者(200)の体重と脈搏或は心搏情報はロードセル(21)と身体信号検出部(32)によって測定されて主演算処理部(23)から処理された後、その処理結果がディスプレー部(25)に表示される。
従って、本発明は、運動の前後に得られる被測定者の体重と脈搏或は心搏情報を利用して被測定者に正確な運動処方ができるようにし、運動程度によって被測定者のストレスの変化の測定もできる。
本実施例では手の裏を赤外線センサー部(33)が感知するが、別の部分例えば、指、足指、足の裏などを感知するようにしてもよい。
また、体重と脈搏或は心搏とが同時に測定されてもよいし、体重が測定された後脈搏或は心搏が測定されてもよく、脈搏或は心搏が測定された後体重が測定されてもよい。
【００１２】
上記のこれらの測定が可能な理由は次のようである。脈搏或は心搏を測定してストレスを測定する技術は、脈搏或は心搏の変化度、即ち、心搏変動(Heart  Rate  Variability,  HRV)を利用して被測定者の自律神経系(Autonomic  Nervous  System,  ANS)を追跡して被測定者のストレスを測定する技術であり、内外的な環境の要因に対する自律神経系の恒常性調節のメカニズムを追跡することが出来る評価手段である。健康な人の場合、心搏変動が大きく、複雑に表れるが、疾病又は体の具合が悪かったり、ストレスの状態によっては複雑度が著しく減少する現象があるので、この現象を脈搏或は心搏測定機及び自律神経測定機に利用する技術である。
【００１３】
また、効率的な運動処方をするためには被測定者に適切な運動強度の情報を提供する必要があり、運動強度による被測定者の体型別の運動消耗量の計算が重要な要素になる。これらの運動強度と運動消耗量を計算するためには、被測定者の体重及び脈搏或は心搏の測定が必要である。米国の大学校スポーツ医学会(ACSM)は最小限の運動強度を、体重と脈搏或は心搏とによって処方するように指導しており、運動の強度は体重１kg当りの消費熱量を計算し、脈搏或は心搏は運動の強度を決定するのに使用される。
【００１４】
運動の強度が強いほど脈搏或は心搏数が増えるので、運動の後、脈搏或は心搏を測定して運動をどのぐらい強くするのか計算する指標に使用される。
従って、被測定者が自分に適当な運動強度で効果的な運動をするためには普通運動の前後の脈搏或は心搏を測定して被測定者の体重と比較してその運動強度を決定するが、従来の測定方法では、脈搏或は心搏計と体重計との両方を設置しなければならない不便さがあり、体重を測定する時と、脈搏或は心搏を測定する時の時間の差が発生して運動の前後の、被測定者の正確な脈搏或は心搏と体重とを共に測定することは出来なかった。
【００１５】
本発明による脈搏或は心搏測定が可能な体重計は、これらの問題点を解消したものであり、運動の前後の脈搏或は心搏と体重とを共に測定して被測定者の正確な体の状態を正確に測定できるようにすることによって、被測定者の正確な脈搏或は心搏及び体重の差を測定比較して適切な運動強度を正確に設定することができるという長所がある。又、脈搏或は心搏による心搏変動(HRV)を測定して運動の前後のストレスの変化が分かるので、被測定者の運動の成就度および効果に対する評価に利用できるという長所がある。
【図面の簡単な説明】
【００１６】
【図１】図１は、一般的な体重計の構成ブロック図。
【図２ａ】図２ａは、本発明による脈搏或は心搏測定が可能な体重計の構成ブロック図。
【図２ｂ】図２ｂは、本発明による脈搏或は心搏測定が可能な体重計に対する一実施例を表す図。
【図３ａ】図３ａは、本発明による脈搏或は心搏測定が可能な体重計の他の実施例を説明するための構成ブロック図。
【図３ｂ】図３ｂは、本発明による脈搏或は心搏測定が可能な体重計の使用状態図。
【符号の説明】
【００１７】
２１  ：  ロードセル
２２  ：  アンプ
２３  ：  主演算処理部
２４  ：  メモリー部
３１  ：  電極
３２  ：  身体信号検出部
３３  ：  赤外線センサー部
【図１】
2006145540.tif 000003
【図２ａ】
2006145540.tif 000004
【図２ｂ】
2006145540.tif 000005
【図３ａ】
2006145540.tif 000006
【図３ｂ】
2006145540.tif 000007